(57)【要約】  【課題】本発明は、送信者に受信側の装置でデータが出力されたか否かにかかわらず、データの出力状況の通知および受信側の装置に記憶されたデータの変更が可能であり、受信者へ受信側の装置にデータが受信されたことを通知することが可能なファクシミリ装置を提供することを目的とする。  【解決手段】本実施形態のデジタル複合機１は、送信履歴記憶部１５３に複数記憶された送信先のＩＰ電話番号および親展ボックス番号に対して、受信した送信元の電話番号および親展ボックス番号の照合を行い、両者の一致した送信元の電話番号および親展ボックス番号に対応した外部の装置（例えば、パソコン３２）のアドレス情報に基づいて、受信した所定の通知情報を外部の装置宛に送信する構成とされ、本実施形態のデジタル複合機２は、画像データおよび親展ボックス番号を受信した際には、外部の装置（例えば、パソコン３１）に受信通知情報を通知する構成とされている。【選択図】      図１
2006287280.tif 000002
【特許請求の範囲】
【請求項１】
外部の装置との通信を確立するためのインタフェイス部と、所定の情報の入力を受け付ける操作手段と、個別の宛先情報が割り当てられた記憶ボックスを複数備えた記憶手段と、該宛先情報に関連付けられた前記外部の装置のアドレス情報を複数記憶するアドレス情報記憶手段と、データとともに受信した送信元を特定する情報、宛先情報および時間情報が記憶される受信履歴記憶手段と、該宛先情報に応じて該データを前記記憶ボックスに分別格納する分別格納制御手段と、前記記憶手段から読み出された前記データに基づいて画像形成処理を行う画像形成手段と、前記時間情報が示す所定の時間を経過しても、前記データに基づいて画像形成処理が行われていない場合には、前記データの出力が未完了である旨を示す未完了通知情報、前記データに対応した宛先情報および本装置を特定する情報を前記データの送信元宛に送信し、前記所定の時間内に、前記データに基づいて画像形成処理が行われた場合には、前記データの出力が完了した旨を示す完了通知情報、前記データに対応した宛先情報および本装置を特定する情報を前記データの送信元宛に送信する完了通知制御手段と、を有して成ることを特徴とするファクシミリ装置。
【請求項２】
前記送信元を特定する情報、前記データ、前記宛先情報および前記時間情報を受信した際に、前記アドレス情報記憶手段に記憶された前記複数の宛先情報と受信した前記宛先情報の照合を行い、一致した宛先情報に関連付けられた前記外部の装置のアドレス情報を前記アドレス情報記憶手段から抽出する照合手段と、該照合手段により抽出された前記アドレス情報に基づいて、前記データが前記宛先情報に応じた記憶ボックスに格納された旨を示す受信通知情報を前記外部の装置に送信する受信通知制御手段と、を有して成ることを特徴とする請求項１に記載のファクシミリ装置。
【請求項３】
送信元を特定する情報とともに、宛先情報および時間情報のみを新たに受信した場合には、該宛先情報に応じて記憶ボックスに分別格納されているデータを削除する削除制御手段と、該データが削除された旨を示す削除通知情報を前記外部の装置に送信する削除通知制御手段と、を有して成ることを特徴とする請求項１または請求項２に記載のファクシミリ装置。
【請求項４】
送信元を特定する情報とともに、新たなデータ、宛先情報および時間情報を新たに受信した場合には、該宛先情報に応じて記憶ボックスに分別格納されているデータに新たなデータを上書する上書制御手段と、該データが該新たなデータで上書きされた旨を示す上書通知情報を前記外部の装置に送信する上書通知制御手段と、を有して成ることを特徴とする請求項１〜請求項３のいずれかに記載のファクシミリ装置。
【請求項５】
外部の装置との通信を確立するためのインタフェイス部と、所定の情報の入力を受け付ける操作手段と、原稿の画像を取り込んでデータを生成する原稿取込手段と、送信先を特定する情報に基づいて、本装置を特定する情報および前記データとともに、宛先情報および時間情報を送信する送信制御手段と、前記送信先を特定する情報、前記宛先情報および前記外部の装置のアドレス情報が関連付けられて複数記憶される送信履歴記憶手段と、所定の通知情報、宛先情報および送信元を特定する情報を受信した際に、前記送信履歴記憶手段に複数記憶された前記送信先を特定する情報および前記宛先情報に対して、受信した送信元を特定する情報および宛先情報の照合を行い、両者が一致した送信先を特定する情報および宛先情報に関連付けられた前記外部の装置のアドレス情報を前記送信履歴記憶手段から抽出する照合手段と、前記照合手段により抽出された前記外部の装置のアドレス情報に基づいて、前記所定の通知情報を該外部の装置宛に送信する通知制御手段と、を有して成ることを特徴とするファクシミリ装置。
【発明の詳細な説明】
【技術分野】
【０００１】
本発明は、受信したデータに基づいて画像形成処理を行うファクシミリ装置（ファクシミリ機能を備えた複合機を含む）に関するものである。
【背景技術】
【０００２】
従来より、ファクシミリ装置は、親展機能が用いられてデータが送信された際に、受信側のファクシミリ装置におけるメモリ部の親展ボックスに分別格納されたそのデータが、受信者によって印刷出力されたか否かということを、送信者が送信側の装置から直接的に確認することが困難であった。そのため、送信者は再度、電話やメール等でその確認が必要となり、手間を要してしまうという課題を有していた。
【０００３】
一方、上記課題を解決する従来技術としては、親展モードにおいて、送信側でファクシミリ伝送制御手順中に送信した送信元電話番号を受信側が読み取って受信親展文書と送信元電話番号とを対応させて記憶し、暗証番号の操作入力によって蓄積された親展文書を出力したときに、対応する送信元電話番号宛へ親展文書を出力したことを自動的に通知することが可能な親展機能を備えたファクシミリ装置、および送信側から親展文書の出力情報の送信要求が送信された場合に、出力情報の送信要求を受信側で読み取り、受信装置側の記憶部に記憶された通信管理レポート（親展文書の出力情報）を出力情報送信要求元に通知することが可能な親展機能を備えたファクシミリ装置が開示・提案されている（例えば、特許文献１を参照）。
【０００４】
また、上記課題の解決するとともに、受信側のファクシミリ装置の親展ボックスに受信したデータが格納されたことを受信者に通知する従来技術としては、受信機側のメモリに親展文書の受信者を特定する親展通信ＩＤコードと対応させて親展受信者名を予め登録しておき、送信機側から送信された親展文書と親展通信ＩＤコードが受信機に受信されると、この受信した親展通信ＩＤに基づいて、予めメモリに登録してある親展受信者名を検索し、その親展受信者に親展文書が届いたことをディスプレイやプロッタ部からの通信管理レポートとして表示することが可能であるとともに、受信機側で検索した親展受信者名のデータを送信機側に送り、送信機側のディスプレイあるいはプロッタ部から通信管理レポートとして親展受信者名を表示することが可能な親展文書通信装置が開示・提案されている（例えば、特許文献２を参照）。
【特許文献１】特開平５−１１０８７４号公報
【特許文献２】特開平５−３１６３７４号公報
【発明の開示】
【発明が解決しようとする課題】
【０００５】
確かに、上記の従来技術をファクシミリ装置に適用すれば、受信側のファクシミリ装置の親展ボックスに格納された受信データが、受信者の操作によって印字出力されたときに、受信側のメモリ部に記憶された通信管理レポートが、送信側のファクシミリ装置に通知されるため、送信者は、通信管理レポート（親展文書の出力情報）をプリンタや表示装置で出力することにより、親展ボックスに格納された受信データが出力されたか否かを確認することができる。また、送信側が親展ボックスに格納された受信データが出力されたか否かを確認したい場合には、送信側から、受信側の親展ボックスに格納された受信データの出力情報の送信要求が送信されると、受信側から送信されてきた通信管理レポート（親展文書の出力情報）をプリンタや表示装置で出力することにより、親展ボックスに格納された受信データが出力されたか否かを確認することができる。
【０００６】
また、上記の従来技術をファクシミリ装置に適用すれば、受信したデータが親展ボックスに格納された際に、受信側のファクシミリ装置で、通信管理レポートを見ることできるため、親展ボックスに格納された受信データの受信者名を受信側のユーザが知ることができる。
【０００７】
しかしながら、特許文献１に記載されたファクシミリ装置では、受信側のファクシミリ装置の親展ボックスからデータが出力されたか否かを確認するために、送信者が送信側のファクシミリ装置に行って、通信管理レポートの確認を行わなければならず、それに費やされる時間に削減の余地があった。また、受信者側の親展ボックスに格納されたデータが、受信者によって出力されていない場合におけるデータの取り扱いについて言及されていなかった。
【０００８】
また、特許文献２に記載された親展文書通信装置では、送信者および受信者が、それぞれ、目的の通信管理レポートを確認するために、それぞれの親展文書通信装置に行って、目的の通信管理レポートの確認を行わなければならず、それに費やされる時間に削減の余地があった。また、受信者側の親展ボックスに格納されたデータが、受信者によって出力されていない場合におけるデータの取り扱いについて言及されていなかった。
【０００９】
本発明は、上記の問題点に鑑み、送信者および受信者が、それぞれ送信側および受信側の装置に行くまでもなく、受信側の装置でデータが出力されたか否かにかかわらず、送信者へのデータの出力状況の通知および受信側の装置に記憶されたデータの変更が可能であり、受信者へ受信側の装置にデータが受信されたことを通知することが可能なファクシミリ装置を提供することを目的とする。
【課題を解決するための手段】
【００１０】
上記目的を達成するために、本発明に係るファクシミリ装置は、外部の装置との通信を確立するためのインタフェイス部と、所定の情報の入力を受け付ける操作手段と、個別の宛先情報が割り当てられた記憶ボックスを複数備えた記憶手段と、該宛先情報に関連付けられた前記外部の装置のアドレス情報を複数記憶するアドレス情報記憶手段と、データとともに受信した送信元を特定する情報、宛先情報および時間情報が記憶される受信履歴記憶手段と、該宛先情報に応じて該データを前記記憶ボックスに分別格納する分別格納制御手段と、前記記憶手段から読み出された前記データに基づいて画像形成処理を行う画像形成手段と、前記時間情報が示す所定の時間を経過しても、前記データに基づいて画像形成処理が行われていない場合には、前記データの出力が未完了である旨を示す未完了通知情報、前記データに対応した宛先情報および本装置を特定する情報を前記データの送信元宛に送信し、前記所定の時間内に、前記データに基づいて画像形成処理が行われた場合には、前記データの出力が完了した旨を示す完了通知情報、前記データに対応した宛先情報および本装置を特定する情報を前記データの送信元宛に送信する完了通知制御手段と、を有して成る構成とされている。このような構成とすることにより、受信者によりデータの画像形成処理が時間情報の示す所定の時間内に行われたか否かを送信元のファクシミリ装置に通知することができるため、送信者は、電話やメール等で確認することなく、受信者によるデータの出力状況を知ることが可能となる。そのため、受信者への受信確認作業およびそれに必要な時間を削減することができる。
【００１１】
また、上記構成から成るファクシミリ装置は、前記送信元を特定する情報、前記データ、前記宛先情報および前記時間情報を受信した際に、前記アドレス情報記憶手段に記憶された前記複数の宛先情報と受信した前記宛先情報の照合を行い、一致した宛先情報に関連付けられた前記外部の装置のアドレス情報を前記アドレス情報記憶手段から抽出する照合手段と、該照合手段により抽出された前記アドレス情報に基づいて、前記データが前記宛先情報に応じた記憶ボックスに格納された旨を示す受信通知情報を前記外部の装置に送信する受信通知制御手段と、を有して成る構成とされている。このような構成とすることにより、受信者のパソコン等の装置へ本ファクシミリ装置にデータが届いたことを通知することができるため、受信者は、本ファクシミリ装置に行くことなく、データが届いたことを知ることができる。そのため、受信者の受信確認作業およびそれに必要な時間を削減することができる。
【００１２】
また、上記構成から成るファクシミリ装置は、送信元を特定する情報とともに、宛先情報および時間情報のみを新たに受信した場合には、該宛先情報に応じて記憶ボックスに分別格納されているデータを削除する削除制御手段と、該データが削除された旨を示す削除通知情報を前記外部の装置に送信する削除通知制御手段と、を有して成る構成とされている。このような構成とすることにより、送信者は、送信したデータが必要でなければ、削除することができる。また、受信者は、本ファクシミリ装置に行くことなく、データが削除されたことを知ることができる。そのため、受信者の受信確認作業およびそれに必要な時間を削減することができる。
【００１３】
また、上記構成から成るファクシミリ装置は、送信元を特定する情報とともに、新たなデータ、宛先情報および時間情報を新たに受信した場合には、該宛先情報に応じて記憶ボックスに分別格納されているデータに新たなデータを上書する上書制御手段と、該データが該新たなデータで上書きされた旨を示す上書通知情報を前記外部の装置に送信する上書通知制御手段と、を有して成る構成とされている。このような構成とすることにより、送信者は、送信したデータに新たなデータを上書きして、データを変更することができる。また、受信者は、本ファクシミリ装置に行くことなく、データが上書されたことを知ることができる。そのため、受信者の受信確認作業およびそれに必要な時間を削減することができる。
【００１４】
本発明に係るファクシミリ装置は、外部の装置との通信を確立するためのインタフェイス部と、所定の情報の入力を受け付ける操作手段と、原稿の画像を取り込んでデータを生成する原稿取込手段と、送信先を特定する情報に基づいて、本装置を特定する情報および前記データとともに、宛先情報および時間情報を送信する送信制御手段と、前記送信先を特定する情報、前記宛先情報および前記外部の装置のアドレス情報が関連付けられて複数記憶される送信履歴記憶手段と、所定の通知情報、宛先情報および送信元を特定する情報を受信した際に、前記送信履歴記憶手段に複数記憶された前記送信先を特定する情報および前記宛先情報に対して、受信した送信元を特定する情報および宛先情報の照合を行い、両者が一致した送信先を特定する情報および宛先情報に関連付けられた前記外部の装置のアドレス情報を前記送信履歴記憶手段から抽出する照合手段と、前記照合手段により抽出された前記外部の装置のアドレス情報に基づいて、前記所定の通知情報を該外部の装置宛に送信する通知制御手段と、を有して成る構成とされている。このような構成とすることにより、送信者のパソコン等の装置に所定の通知情報が送信されるため、送信者は、本ファクシミリ装置に行くことなく、送信者のパソコン等で、通知情報から受信者によるデータの出力状況等を知ることが可能となる。そのため、受信者への受信確認作業およびそれに必要な時間を削減することができる。
【発明の効果】
【００１５】
上記したように、本発明に係るファクシミリ装置であれば、送信者および受信者は、それぞれ送信側および受信側の装置に行くまでもなく、送信者は、送信者のパソコン等の装置で、受信側の装置の記憶ボックスに記憶されたデータの出力状況を知ることが可能になるとともに、受信側の装置の記憶ボックスに記憶されたデータの変更が可能であり、また、受信者は、受信者のパソコン等の装置で、受信側の装置にデータが受信されたことを知ることが可能となる。
【発明を実施するための最良の形態】
【００１６】
以下では、複写機、プリンタ、スキャナ、及びファクシミリとしての機能を併せ持つネットワーク対応のデジタル複合機に本発明を適用した場合を例に挙げて説明を行う。
【００１７】
図１は、本発明に係る送信側および受信側のデジタル複合機の一実施形態を示すブロック図である。図１に示すように、本実施形態では、デジタル複合機１を送信側とし、デジタル複合機２を受信側とする。本実施形態のデジタル複合機１は、中央演算処理装置１０（以下、ＣＰＵ［Central Processing Unit］１０と呼ぶ）と、原稿搬送部１１と、原稿取込部１２と、操作表示部１３と、インタフェイス部１４と、メモリ部１５と、を有して成る。なお、本図には示していないが、本実施形態のデジタル複合機１は、上記構成要素のほか、画像形成処理に必要な画像形成部、定着部、用紙収納部、および用紙搬送部などを当然に有して成る。
【００１８】
ＣＰＵ１０は、本装置全体の動作の制御を行うほか、後ほど詳細に説明するように、操作表示部１３から入力された送信先のＩＰ電話番号（すなわち、送信先を特定する情報）に基づいて、本装置のＩＰ電話番号（すなわち、本装置を特定する情報）および画像データとともに、操作表示部１３から入力された宛先情報（本実施形態では、Ｆコード親展ボックス方式による４桁の番号で表現された送信先の親展ボックス番号「００００」〜「ｎｎｎｎ」に対応）および時間情報を送信する送信制御手段と、所定の通知情報、宛先情報および送信元のＩＰ電話番号（すなわち、送信元を特定する情報）を受信した際に、後述の送信履歴記憶部１５３に複数記憶された送信先のＩＰ電話番号（すなわち、送信先を特定する情報）および宛先情報に対して、受信した送信元のＩＰ電話番号（すなわち、送信元を特定する情報）および宛先情報の照合を行い、両者が一致した送信先のＩＰ電話番号（すなわち、送信先を特定する情報）および宛先情報に対応した外部の装置（例えば、パソコン３１）のアドレス情報を抽出する照合手段と、該照合手段により抽出された外部の装置（例えば、パソコン３１）のアドレス情報に基づいて、受信した所定の通知情報を外部の装置宛（例えば、パソコン３１）に送信する通知制御手段と、しての役割を担う。
【００１９】
なお、時間情報とは、後述で説明するが、デジタル複合機２が画像データとともに時間情報等を受信した後に、時間のカウントが開始され、時間情報の示す所定の時間内に、デジタル複合機２から親展ボックスに分別格納された画像データの画像形成処理（印刷出力）が行われたか否かに応じて、デジタル複合機２が、デジタル複合機１に向けて完了通知情報あるいは未完了通知情報のいずれを送信するかどうかを判別するための時間である。
【００２０】
原稿搬送部１１は、原稿台（不図示）にセットされた原稿を原稿取込部１２へ自動搬送を行う。原稿取込部１２は、原稿搬送部１１により搬送された原稿の画像を取り込んで画像データの生成を行う。
【００２１】
操作表示部１３は、テンキーやタッチパネルなどから構成され、ユーザにより入力される情報やユーザによる装置の操作を受け付ける操作手段と、液晶ディスプレイなどから構成され、種々の画像を表示する表示手段と、から成る。
【００２２】
インタフェイス部１４は、インターネット４１やＬＡＮ[Local Area Network]４２を介して接続された複数の外部の装置（例えば、後述のデジタル複合機２やパソコン３１）との通信を確立するためのインタフェイス機能を有している。インタフェイス部１４には、ＩＰ電話を利用したファクシミリ通信を行うために、ＩＰ電話番号を通信プロトコルＴＣＰ／ＩＰ[Transmission Control Protocol/Internet Protocol]に変換して、インターネット４１に接続する機能を備えたルータ等が用いられ、ＬＡＮ４２との通信を確立するために、イーサネット（登録商標）規格のネットワークインタフェイスカード等が用いられる。
【００２３】
メモリ部１５は、各種制御プログラムが格納されているＲＯＭ［Read Only Memory］１５１と、主にワーク領域として用いられるＲＡＭ［Random Access Memory］１５２と、宛先情報（本実施形態では、Ｆコード親展ボックス方式による４桁の番号で表現された送信先の親展ボックス番号「００００」〜「ｎｎｎｎ」に対応）およびその宛先情報に関連付けられた外部の装置（例えば、パソコン３１）のアドレス情報（例えば、ＩＰアドレス）を複数記憶する送信履歴記憶部１５３と、を有して成る。
【００２４】
次に、本実施形態の受信側のデジタル複合機２について以下に説明を行う。図１に示すように、デジタル複合機２は、ＣＰＵ２０と、インタフェイス部２１と、操作表示部２２と、画像形成部２３と、定着部２４と、給紙部２５と、メモリ部２６と、を有して成る。なお、本図には示していないが、複写動作やスキャナ動作に必要な原稿搬送部や原稿取込部などを当然に有して成る。
【００２５】
ＣＰＵ２０は、本装置全体の動作の制御を行うほか、後ほど詳細に説明するように、受信した宛先情報（本実施形態では、Ｆコード親展ボックス方式による４桁の番号で表現された送信先の親展ボックス番号「００００」〜「ｎｎｎｎ」に対応）に応じて、受信した画像データを親展ボックスに分別格納する分別格納制御手段と、受信した時間情報の示す所定の時間を経過しても、画像データに基づいて画像形成処理が行われていない場合には、画像データの出力が未完了である旨を示す未完了通知情報、該画像データに対応した宛先情報および本装置のＩＰ電話番号（すなわち、本装置を特定する情報）を、その画像データの送信元宛に送信し、所定の時間内に、画像データに基づいて画像形成処理が行われた場合には、受信データの出力が完了した旨を示す完了通知情報、該画像データに対応した宛先情報および本装置のＩＰ電話番号（すなわち、本装置を特定する情報）を、その画像データの送信元宛に送信する完了通知手段と、送信元のＩＰ電話番号（すなわち、送信元を特定する情報）、画像データ、宛先情報および時間情報を受信した際に、後述のアドレス情報記憶部２６３に記憶された複数の宛先情報と受信した宛先情報の照合を行い、一致した宛先情報に関連付けられた外部の装置（例えば、パソコン３２）のアドレス情報（例えば、ＩＰアドレス）をアドレス情報記憶部２６３から抽出する照合手段などの役割を担っている。
【００２６】
インタフェイス部２１は、インターネット４１やＬＡＮ４３を介して接続された複数の外部の装置（例えば、デジタル複合機１やパソコン３２）との通信を確立するためのインタフェイス機能を有している。インタフェイス部２１には、ＩＰ電話を利用したファクシミリ通信を行うために、ＩＰ電話番号を通信プロトコルＴＣＰ／ＩＰに変換して、インターネット４１に接続する機能を備えたルータ等が用いられる。また、インタフェイス部２１には、ＬＡＮ４３との通信を確立するために、イーサネット（登録商標）規格のネットワークインタフェイスカード等が用いられる。
【００２７】
操作表示部２２は、テンキーやタッチパネルなどから構成され、ユーザにより入力される情報やユーザによる装置の操作を受け付ける操作手段と、液晶ディスプレイなどから構成され、種々の画像を表示する表示手段と、から成る。
【００２８】
メモリ部２６は、各種制御プログラムが格納されているＲＯＭ２６１と、主にワーク領域として用いられるＲＡＭ２６２と、宛先情報（本実施形態では、Ｆコード親展ボックス方式による４桁の番号で表現された送信先の親展ボックス番号「００００」〜「ｎｎｎｎ」に対応）およびその宛先情報に対応した外部の装置（例えば、パソコン３２）のアドレス情報（例えば、ＩＰアドレス）を複数記憶するアドレス情報記憶部２６３と、画像データとともに受信した送信元のＩＰ電話番号、宛先情報、および時間情報が記憶される受信履歴記憶部２６４と、を有して成る。
【００２９】
また、メモリ部２６は、受信した画像データの分別格納機能を実現すべく、個別の宛先情報（本実施形態では、Ｆコード親展ボックス方式による４桁の番号で表現された親展ボックス番号「０００１」〜「ｎｎｎｎ」に対応）が割り当てられた各記憶ボックスＢ０００１〜Ｂｎｎｎｎ（以下では、便宜、０００１番〜ｎｎｎｎ番の親展ボックスＢ０００１〜Ｂｎｎｎｎと呼ぶ。）を有した親展ボックス記憶部２６５を備えている。
【００３０】
画像形成部２３は、プリンタヘッドや感光ドラムなどで構成されており、メモリ部２６から読み出された画像データに基づいて用紙へ画像を形成する。定着部２４は、画像形成部２３により画像が形成された用紙に、熱を加えて画像を用紙に定着させる。給紙部２５は、用紙を収納するための用紙収納部や、用紙収納部から用紙を画像形成部２３へ搬送するための用紙搬送部から構成されている。
【００３１】
ここで、ＬＡＮ４２に接続されたパソコン３１およびＬＡＮ４３に接続されたパソコン３２について以下に説明を行う。パソコン３１は、図示は省略するが、各種プログラムやデータ等が格納される記憶部、画像が表示されるディスプレイ、入力操作が行われる入力装置、パソコン全体の制御を行う制御部、およびＬＡＮ４２との通信の接続を確立するためのインタフェイス部等を有して成る。また、パソコン３１は、後述するように、デジタル複合機１からデジタル複合機２に画像データが送信され、デジタル複合機２における所定の親展ボックスに分別格納された画像データの出力が完了した旨を示す完了通知情報などの各種通知情報等を、デジタル複合機１を介して受信し、その各種通知情報に基づいてその通知内容等をディスプレイに表示することが可能な構成とされている。
【００３２】
また、ＬＡＮ４３に接続されたパソコン３２は、図示は省略するが、各種プログラムやデータ等が格納される記憶部、画像が表示されるディスプレイ、入力操作が行われる入力装置、パソコン全体の制御を行う制御部、およびＬＡＮ４３との通信の接続を確立するためのインタフェイス部等を有して成る。また、パソコン３２は、デジタル複合機２との間で画像データの印刷出力命令といった各種命令や各種データの送受信を行うことが可能な構成とされている。また、パソコン３２は、後述するように、デジタル複合機２における特定の番号の親展ボックスに画像データが受信された旨を示す受信通知情報等を受信して、受信通知情報等に基づいてその通知内容等をディスプレイに表示することが可能な構成とされている。
【００３３】
以下では、上記構成から成る送信側のデジタル複合機１および受信側のデジタル複合機２におけるＦコード親展ボックス方式が用いられた際の動作について、図を参照して説明を行う。本発明の特徴が解りやすいように、最初に、受信側のデジタル複合機２におけるＦコード親展ボックス方式での動作について説明を行う。図２は、デジタル複合機２における親展ボックスに関する登録動作を示すフローチャートである。図３は、デジタル複合機２におけるＦコード親展ボックス方式のファクシミリ通信データを受信した際の動作を示すフローチャートである。なお、説明のため、パソコン３２のユーザが、受信者となる場合を例に挙げて説明を行う。以下より、図１および図２を参照して、本実施形態のデジタル複合機２における親展ボックスに関する登録動作について説明を行う。
【００３４】
本実施形態のデジタル複合機２では、ステップ２−１で、受信者となるユーザにより、操作表示部２２に表示された親展ボックスの登録を行うためのＦコード設定ボタン（不図示）が押下されると、４桁の数字で親展ボックス番号の入力を要求する旨が操作表示部２２に表示される。テンキー（不図示）で４桁の数字が入力され、確定ボタンが押下されると、ＣＰＵ２０により、入力された親展ボックス番号およびその親展ボックス番号に対応した親展ボックスが認識される。なお、本実施形態では、親展ボックス番号は、４桁の数字を例に挙げて説明を行うが、特に４桁の数字に限定される必要はない。
【００３５】
続いて、ステップＳ２−２で、ステップＳ２−１において登録された親展ボックス番号の親展ボックスに画像データが分別格納された際の通知先となる外部の装置（例えば、パソコン）のアドレス情報（例えば、ＩＰアドレス）の入力を要求する旨が操作表示部２２に表示される。テンキー（不図示）やメイン画面に表示された英数記号ボタン（不図示）が用いられて、受信者のパソコン３２のアドレス情報（例えば、ＩＰアドレス）が入力され、確定ボタン（不図示）が押下されると、ＣＰＵ２０により、パソコン３２のアドレス情報が、ステップＳ２−１で認識された親展ボックス番号およびその親展ボックス番号に対応した親展ボックスに関連付けられて認識される。
【００３６】
続いて、ステップＳ２−３で、操作表示部２２に、ステップＳ２−１において認識された親展ボックスを閲覧する際のパスワードの登録を要求する旨が表示される。テンキー（不図示）や操作表示部２２に表示された英数記号ボタン（不図示）が用いられて、受信者のパスワードが入力され、確定ボタン（不図示）が押下されると、ＣＰＵ２０により、パスワード、親展ボックス番号、およびパソコン３２のアドレス情報が関連付けられて、アドレス情報記憶部２６３に記憶され、親展ボックスに関する登録が完了する。なお、上記で説明した親展ボックスに関する登録にユーザ名の登録が追加されてもよい。また、適時、上記のように、受信者となるユーザによりデジタル複合機２における親展ボックスの登録が行われる。
【００３７】
次に、デジタル複合機１からＦコード親展ボックス方式で送信された送信元のＩＰ電話番号、画像データ、親展ボックス番号および時間情報を受信した際の、デジタル複合機２の動作について図１および図３を参照して説明を行う。なお、説明のため、図１に示すように、パソコン３１のユーザが送信者として、送信側のデジタル複合機１が用いられてＦコード親展ボックス方式で送信された画像データ等がデジタル複合機２に受信され、パソコン３２のユーザが受信者となる場合を例に挙げて説明を行う。
【００３８】
本実施形態のデジタル複合機２では、ステップＳ３−１で、後述で説明するように、デジタル複合機１からＦコード親展ボックス方式で送信された送信元のデジタル複合機１のＩＰ電話番号、画像データ、親展ボックス番号および時間情報が、インタフェイス２１を介して受信されると、ＣＰＵ２０により、画像データが、親展ボックス番号に応じて０００１番〜ｎｎｎｎ番の親展ボックスＢ０００１〜Ｂｎｎｎｎのいずれかに分別格納される（例えば、受信した親展ボックス番号が「０００１」であれば、０００１番の親展ボックスＢ０００１に分別格納される）。更に、ＣＰＵ２０により、受信した送信元のデジタル複合機１のＩＰ電話番号、親展ボックス番号、時間情報、および受信時間が関連付けられて受信履歴記憶部２６４に記憶される。
【００３９】
続いて、ステップＳ３−２で、ＣＰＵ２０により、前述したように登録され、アドレス情報記憶部２６３に記憶された複数の親展ボックス番号とステップＳ３−１において受信された親展ボックス番号の照合が行われ、一致した親展ボックス番号に対応した外部の装置、例えば、パソコン３２のアドレス情報がアドレス情報記憶部２６３から抽出される。そして、ＣＰＵ２０により、その抽出されたアドレス情報に基づいて、受信した親展ボックス番号に応じた親展ボックスに画像データが格納された旨を示す受信通知情報が、インタフェイス部２１から外部の装置であるパソコン３２へ送信される。
【００４０】
なお、ＣＰＵ２０は、抽出されたアドレス情報に基づいて、画像データが宛先情報（本実施形態では、Ｆコード親展ボックス方式による４桁の番号で表現された親展ボックス番号「０００１」〜「ｎｎｎｎ」）に応じた親展ボックスに格納された旨を示す受信通知情報を外部の装置（例えば、パソコン３２）に送信する受信通知制御手段としての役割を担っている。
【００４１】
また、受信通知情報を受信したパソコン３２では、受信通知情報に基づいて、そのディスプレイにデジタル複合機２における特定の番号の親展ボックスに画像データが受信された旨が表示される。
【００４２】
よって、本実施形態のデジタル複合機２であれば、受信者のパソコン等に、画像データが届いたことを通知することができるため、受信者は、本デジタル複合機２に行くことなく、その画像データが届いたことをパソコン等で知ることができる。そのため、受信者の受信確認作業およびそれに必要な時間を削減することができる。
【００４３】
続いて、ステップＳ３−３で、ＣＰＵ２０により、受信履歴記憶部２６４に記憶された時間情報が読み込まれる。そして、ＣＰＵ２０による時間のカウントが初期化された後、新たに時間のカウントが開始される。
【００４４】
続いて、ステップＳ３−４で、ＣＰＵ２０による時間のカウントが開始後に、時間情報の示す所定の時間内に、画像データが分別格納されている親展ボックスの親展ボックス番号、その親展ボックスに対応したパスワードおよび画像データの印刷出力命令がパソコン３２から送信され、ＣＰＵ２０により受信された場合には（Ｓ３−４ＹＥＳ）、ステップＳ３−５で、その画像データに基づいて、給紙部２５により搬送されてきた用紙に、画像形成部２３および定着部２４により画像形成処理が行われる。更に、ＣＰＵ２０により、ＲＡＭ２６２にパソコン３２から受信した親展ボックス番号および画像データの印刷出力命令が、受信時間とともに一旦記憶される。
【００４５】
続いて、ステップＳ３−６で、ＣＰＵ２０により、ステップＳ３−５において用紙への画像形成処理が完了した親展ボックスに分別格納されている画像データが削除される。
【００４６】
続いて、ステップＳ３−７で、ＣＰＵ２０により、ＲＡＭ２６２から画像データが印刷出力された親展ボックスの親展ボックス番号が読み込まれる。そして、その親展ボックス番号に一致する受信履歴記憶部２６４に記憶された複数の親展ボックス番号のうち、最も新しい受信時間の親展ボックス番号に対応した送信元のデジタル複合機１のＩＰ電話番号が抽出される。そして、ＣＰＵ２０により、そのＩＰ電話番号が用いられて、画像データの印刷出力が完了した旨を示す完了通知情報、その画像データに対応した親展ボックス番号、およびデジタル複合機２のＩＰ電話番号が、インタフェイス部２１からインターネット４１経由でデジタル複合機１へ送信され、本動作は完了と成る。なお、デジタル複合機２のＩＰ電話番号、完了通知情報および親展ボックス番号を受信したデジタル複合機１によって、後述するようにパソコン３１へ完了通知情報が送信される。
【００４７】
また、ステップＳ３−４で、ＣＰＵ２０による時間のカウントが開始後に、時間情報の示す所定の時間を経過しても、パソコン３２からの画像データが分別格納されている親展ボックスの親展ボックス番号、その親展ボックスに対応したパスワードおよび画像データの印刷出力命令が、ＣＰＵ２０により受信されない場合には（Ｓ３−４ＮＯ）、ステップＳ３−８で、ＣＰＵ２０により、受信履歴記憶部２６４に記憶された最も新しい親展ボックス番号に対応した送信元のデジタル複合機１のＩＰ電話番号が抽出される。そして、ＣＰＵ２０により、画像データの印刷出力が未完了である旨を示す未完了通知情報、その画像データに対応した親展ボックス番号、変更確認通知情報、およびデジタル複合機２のＩＰ電話番号が、送信元のデジタル複合機１のＩＰ電話番号が用いられて、インタフェイス部２１からインターネット４１経由でデジタル複合機１へ送信される。なお、変更確認通知情報は、送信者のパソコン３１にデジタル複合機１を介して送信され、画像データの変更を後に行うか否かを送信者に確認するために送信される通知情報である。また、デジタル複合機２のＩＰ電話番号、未完了通知情報および親展ボックス番号を受信したデジタル複合機１によって、後述するようにパソコン３１へ未完了通知情報等の送信が行われる。
【００４８】
よって、上記で説明したように、本実施形態のデジタル複合機２であれば、受信者の指示により画像データの画像形成処理が時間情報の示す所定の時間内に行われたか否かを送信元に通知することができるため、送信者は、電話やメール等で確認することなく、受信者による画像データの出力状況を知ることが可能となる。そのため、受信者への受信確認作業およびそれに必要な時間を削減することができる。
【００４９】
続いて、ステップＳ３−９で、後述するように先に受信した画像データ等に後で変更を行うことを通知する変更通知情報を受信した場合には（Ｓ３−９ＹＥＳ）、ステップＳ３−１０に進む。なお、変更通知情報は、後述で説明するように、送信者のパソコン３２からデジタル複合機１を介して送信されたものである。
【００５０】
続いて、ステップＳ３−１０で、ＣＰＵ２０による時間のカウントが継続されたまま、ＣＰＵ２０により、送信元のＩＰ電話番号とともに、ステップＳ３−１において受信した親展ボックス番号および時間情報と同じ、親展ボックス番号および時間情報のみを新たに受信したことが認識された場合には（Ｓ３−１０ＹＥＳ）は、ステップ３−１１で、ＣＰＵ２０により、新たに受信した親展ボックス番号に対応した親展ボックスに分別格納されている画像データが削除される。なお、ステップＳ３−１０において新たに受信した時間情報は、ステップＳ３−１において受信したものと異なっていてもよい。
【００５１】
続いて、ステップＳ３−１２で、ＣＰＵ２０により、アドレス情報記憶部２６３に記憶された複数の親展ボックス番号と新たに受信した親展ボックス番号の照合が行われ、一致した親展ボックス番号に対応した外部の装置、例えば、受信者のパソコン３２のアドレス情報がアドレス情報記憶部２６３から抽出される。そして、ＣＰＵ２０により、特定の親展ボックス番号の親展ボックスに格納されている画像データが削除された旨を示す削除通知情報が、その抽出されたアドレス情報に基づいて、外部の装置、例えば、受信者のパソコン３２へインタフェイス部２１から送信され、本動作は完了となる。
【００５２】
なお、削除通知情報を受信したパソコン３２では、削除通知情報に基づいて、そのディスプレイにデジタル複合機２における特定の親展ボックス番号の親展ボックスに買う納されていた画像データが削除された旨が表示される。
【００５３】
なお、上記で説明したように、ＣＰＵ２０は、送信元のＩＰ電話番号（すなわち、送信元を特定する情報）とともに、宛先情報（本実施形態では、Ｆコード親展ボックス方式による４桁の番号で表現された送信先の親展ボックス番号「００００」〜「ｎｎｎｎ」に対応）および時間情報のみを新たに受信した場合には、該宛先情報に対応した親展ボックスに分別格納されている画像データを削除する削除制御手段と、該宛先情報の該記憶ボックスに分別格納されている該データが削除された旨を示す削除通知情報を外部の装置（例えば、パソコン３２）に送信する削除通知制御手段としての役割を担っている。
【００５４】
よって、上記で説明したように、本実施形態のデジタル複合機２であれば、受信者は、本デジタル複合機２に行くことなく、パソコン等で画像データが削除されたことを知ることができる。そのため、受信者の受信確認作業およびそれに必要な時間を削減することができる。送信者は、先に送信した画像データが必要なければ、その画像データを削除することができる。
【００５５】
また、ステップＳ３−９で、後述するように先に受信した画像データ等に後で変更を行わないことを通知する無変更通知情報を受信した場合には（Ｓ３−９ＮＯ）、先に受信して親展ボックスに分別格納された画像データに後で変更が行われないため、ステップＳ３−３に戻る。
【００５６】
また、ステップＳ３−１０で、ＣＰＵ２０による時間のカウントが継続されたまま、ＣＰＵ２０により、送信元のＩＰ電話番号とともに、ステップＳ３−１において受信したものと同じ親展ボックス番号、新たな画像データ、および新たな時間情報を、新たに受信したことが認識された場合には（Ｓ３−１０ＮＯ）は、ステップ３−１３で、ＣＰＵ２０により、新たに受信した親展ボックス番号に対応した親展ボックスに分別格納されている画像データに、新たな画像データが上書されて記憶される。
【００５７】
続いて、ステップＳ３−１４で、ＣＰＵ２０により、アドレス情報記憶部２６３に記憶された複数の親展ボックス番号と受信された親展ボックス番号の照合が行われ、一致した親展ボックス番号に対応した外部の装置、例えば、パソコン３２のアドレス情報がアドレス情報記憶部２６３から抽出される。そして、ＣＰＵ２０により、その抽出されたアドレス情報に基づいて、特定の親展ボックス番号の親展ボックスに分別格納されている画像データが新たな画像データで上書された旨を示す上書通知情報が外部の装置、例えば、パソコン３２へインタフェイス部２１からＬＡＮ４３を介して送信され、ステップＳ３−３に進む。
【００５８】
なお、受信通知情報を受信したパソコン３２では、上書通知情報に基づいて、そのディスプレイにデジタル複合機２における特定の親展ボックス番号に対応した親展ボックスに記憶されている画像データに新たな画像データが上書された旨が表示される。
【００５９】
なお、上記で説明したように、ＣＰＵ２０は、送信元の電話番号（すなわち、送信元を特定する情報）とともに、新たな画像データ、宛先情報（本実施形態では、Ｆコード親展ボックス方式による４桁の番号で表現された送信先の親展ボックス番号「００００」〜「ｎｎｎｎ」に対応）および時間情報を新たに受信した場合には、該宛先情報に応じて親展ボックスに分別格納されている画像データに新たな画像データを上書する上書制御手段と、該宛先情報の該記憶ボックスに分別格納されている該画像データが該新たな画像データで上書きされた旨を示す上書通知情報を外部の装置（例えば、パソコン３２）に送信する上書通知制御手段としての役割を担っている。
【００６０】
よって、上記で説明したように、本実施形態のデジタル複合機２であれば、受信者は、本デジタル複合機２に行くことなく、パソコン等で特定の親展ボックス番号の親展ボックスに格納されている画像データが上書されたことを知ることができる。そのため、受信者の受信確認作業およびそれに必要な時間を削減することができる。また、送信者は、先に送信した画像データに新たな画像データを上書して、画像データを変更することができる。
【００６１】
次に、デジタル複合機１におけるＦコード親展ボックスモードでのファクシミリ送信の動作について図を参照して以下に説明を行う。図４は、デジタル複合機１における液晶ディスプレイの画面の一例を示す図である。図５は、デジタル複合機１におけるＦコード親展ボックスモードでのファクシミリ送信の動作を示すフローチャートである。なお、説明のため、図１に示すように、パソコン３１のユーザを送信者として、送信側のデジタル複合機１が用いられてＦコード親展ボックス方式で送信された画像データ等がデジタル複合機２に受信され、パソコン３２のユーザが受信者となる場合を例に挙げて説明を行う。
【００６２】
本実施形態のデジタル複合機１では、図１、図４および図５に示すように、ステップＳ５−１で、送信者により操作表示部１３の液晶ディスプレイ１３１に表示されたＦコード親展ボックスモード切替ボタン（不図示）が押下されると、ステータス表示部１３２がＦコード親展ボックスモードに変更され、Ｆコード親展ボックスモードでのファクシミリ送信が可能な状態になる。続いて、メイン表示部１３３に表示された案内に従って、テンキー（不図示）により、図４に示すように、送信先（本実施形態では、デジタル複合機２）のＩＰ電話番号１３４、親展ボックス番号１３５（本実施形態では４桁）、記号１３７、および時間情報１３６が入力されると、ＣＰＵ１０により、これらの入力情報が、一旦ＲＡＭ１５２に格納される。続いて、送信者のパソコン３１のアドレス情報（例えば、ＩＰアドレス）を入力要求する画面が、メイン表示部１３３に表示され、そのアドレス情報がテンキー（不図示）やメイン表示部１３３に表示された英数記号ボタン（不図示）が用いられて、送信者のパソコン３１のアドレス情報が入力される。なお、時間情報１３６に、例えば、３０と入力されると、受信先のデジタル複合機２では、時間３０分を示す情報となる。
【００６３】
続いて、ステップＳ５−２で、原稿搬送部１１に原稿がセットされ、スタートキー（不図示）が押下されると、原稿搬送部１１により原稿が原稿取込部１２に搬送され、原稿取込部１２により画像データが生成される。生成された画像データは、一旦ＲＡＭ１５２に格納される。ＣＰＵ１０により、ＩＰ電話番号１３４、親展ボックス番号１３５、時間情報１３６および画像データが、ＲＡＭ１５２から再び読み出されて、図４に示す順番で、インタフェイス部１４に入力される。そして、ＩＰ電話番号１３４に従って、デジタル複合機２宛に、ＩＰ電話番号１３４、親展ボックス番号１３５、時間情報１３６および画像データが送信される。そして、ＣＰＵ１０により、送信履歴記憶部１５３に、送信者のパソコン３１のアドレス情報、親展ボックス番号１３５および送信先のＩＰ電話番号１３４が関連付けられて記憶される。
【００６４】
なお、前述したように、デジタル複合機２では、受信した画像データが、親展ボックス番号１３５に応じて親展ボックスに分別格納される。
【００６５】
続いて、ステップＳ５−３で、前述したようにデジタル複合機２おいて親展ボックス番号に応じて親展ボックスに分別格納された画像データが時間情報１３６の示す所定の時間内に出力された場合に、デジタル複合機２から送信される完了通知情報（画像データの出力が完了である旨を示す）、その画像データに対応した親展ボックス番号、およびＩＰ電話番号が、ＣＰＵ１０により、インタフェイス部１４を介して受信されたことが認識される場合には（Ｓ５−３ＹＥＳ）、ステップ５−４で、ＣＰＵ１０により、送信履歴記憶部１５３に関連付けられて記憶されている複数の親展ボックス番号および送信先のＩＰ電話番号に対して、受信した送信元のＩＰ電話番号および親展ボックス番号の照合が行われ、両者の一致したＩＰ電話番号および親展ボックス番号に対応したアドレス情報が抽出される。そして、ＣＰＵ１０により、抽出されたアドレス情報に基づいて、例えば、パソコン３１宛に完了通知情報が送信され、本動作は完了となる。
【００６６】
なお、完了通知情報を受信したパソコン３１では、完了通知情報に基づいて、パソコン３１のディスプレイに、デジタル複合機２にＦコード親展ボックスモードで送信された画像データが、受信者のパソコン３２からの指示命令によって、デジタル複合機２から印刷出力が完了した旨が表示される。
【００６７】
また、ステップＳ５−３で、前述したようにデジタル複合機２の親展ボックス番号１３５に応じて親展ボックスに分別格納された画像データが時間情報１３６の示す所定の時間を経過しても印刷出力されなかった場合に、デジタル複合機２から送信された未完了通知情報（画像データの出力が未完了である旨を示す）、変更確認通知情報（デジタル複合機２の親展ボックスに格納された画像データを変更するか否かを送信者に確認要求するための情報）、親展ボックス番号、およびＩＰ電話番号が、ＣＰＵ１０により、インタフェイス部１４を介して受信されたことが認識された場合には（ステップＳ５−３ＮＯ）、ステップＳ５−５で、ＣＰＵ１０により、未完了通知情報、変更確認通知情報、親展ボックス番号および送信元のＩＰ電話番号が、一旦ＲＡＭ１５２に格納される。
【００６８】
続いて、ステップＳ５−６で、ＣＰＵ１０により、送信履歴記憶部１５３に関連付けられて記憶された複数の親展ボックス番号および送信先のＩＰ電話番号に対して、ＲＡＭ１５２に格納された送信元のＩＰ電話番号および親展ボックス番号の照合が行われ、両者の一致したＩＰ電話番号および親展ボックス番号に対応したアドレス情報が送信履歴記憶部１５３から抽出される。そして、ＣＰＵ１０により、抽出されたアドレス情報に基づいて、例えば、パソコン３１宛に未完了通知情報および変更確認通知情報が送信され、その送信履歴が送信履歴記憶部１５３に記憶される。
【００６９】
なお、アドレス情報に基づいて、未完了通知情報および変更確認通知情報が送信されたパソコン３１の動作について以下に説明を行う。パソコン３１では、未完了通知情報に基づいて、パソコン３１のディスプレイに、Ｆコード親展ボックスモードで送信した画像データの印刷出力がデジタル複合機２で未完了である旨が表示される。
【００７０】
更に、変更確認通知情報に基づいて、パソコン３１のディスプレイに、デジタル複合機２の親展ボックスに格納された画像データを後で変更するか否かを確認するための変更確認ボタン（不図示）および無変更確認ボタン（不図示）が表示される。送信者によりパソコン３１の入力装置が用いられて、その画像データを後で変更する変更確認ボタン（不図示）あるいは変更しない無変更確認ボタン（不図示）が選択されると、それぞれ、デジタル複合機２の親展ボックスに格納された画像データを後に変更する旨を通知するための変更通知情報あるいはその画像データを変更しない旨を通知する無変更通知情報が、デジタル複合機１に返信される。
【００７１】
続いて、ステップＳ５−７で、ＣＰＵ１０により、パソコン３１から返信された変更通知情報が、インタフェイス部１４を介して受信されたことが認識された場合には（Ｓ５−７ＹＥＳ）、ステップＳ５−８で、ＣＰＵ１０により、ＲＡＭ１５２に記憶されているデジタル複合機２のＩＰ電話番号が用いられて、インタフェイス部１４から変更通知情報がデジタル複合機２に向けて送信される。
【００７２】
また、ステップＳ５−７で、ＣＰＵ１０により、パソコン３１から返信された無変更通知情報が、インタフェイス部１４を介して受信されたことが認識された場合には（Ｓ５−７ＮＯ）、ステップＳ５−９で、ＣＰＵ１０により、ＲＡＭ１５２に記憶されているデジタル複合機２のＩＰ電話番号が用いられて、インタフェイス部１４から無変更通知情報がデジタル複合機２に向けて送信され、ステップＳ５−３に進む。
【００７３】
続いて、ステップＳ５−１０で、操作表示部１３によりファクシミリ送信の再送の入力が以下のように受け付けられて再送され、ステップＳ５−３に進む。
【００７４】
受信側のデジタル複合機２の親展ボックスに分別格納されている画像データを削除する場合には、図４に示すように、デジタル複合機２のＩＰ電話番号１３４、ステップＳ５−２で入力したものと同じ親展ボックス番号１３５（本実施形態では４桁）、記号１３７、および時間情報１３６が入力された後に、原稿が原稿搬送部１１にセットされずに、スタートキー（不図示）が押下されると、ＣＰＵ１０により、送信先のデジタル複合機２宛に、デジタル複合機１のＩＰ電話番号、親展ボックス番号および時間情報が、インタフェイス部１４から送信され、ステップＳ５−３に進む。
【００７５】
また、受信側のデジタル複合機２の親展ボックスに分別格納されている画像データに新たな画像データを上書する場合には、図４に示すように、デジタル複合機２のＩＰ電話番号１３４、ステップＳ５−２で入力したものと同じ親展ボックス番号１３５（本実施形態では４桁）、記号１３７、および時間情報１３６が入力された後に、原稿が原稿搬送部１１にセットされて、スタートキー（不図示）が押下されると、ＣＰＵ１０により、送信先のデジタル複合機２宛に、原稿取込部１２により生成された新たな画像データ、親展ボックス番号、および時間情報が、インタフェイス部１４から送信され、ステップＳ５−３に進む。
【００７６】
よって、上記で説明したように、本実施形態のデジタル複合機１であれば、送信者のパソコン３２等に、デジタル複合機２から受信した未完了通知情報および完了通知情報が送信されるため、送信者は、本デジタル複合機１に行くことなく、送信者のパソコン等で、送信した画像データの印刷出力状況を、その通知情報に示された内容から知ることができる。そのため、送信者の受信確認作業およびそれに必要な時間を削減することができる。
【００７７】
なお、上記で説明したように、本実施形態のデジタル複合機１およびデジタル複合機２は、ＩＰ電話を利用してファクシミリ通信が行われる構成であったが、画像データとファクシミリ信号の相互変換を行うモデムや公衆電話回線との接続を確立する網制御部（ＮＣＵ[Network Control Unit]）が利用されて、公衆電話回線によりファクシミリ通信が行われてもよい。
【００７８】
また、本実施形態のデジタル複合機１およびデジタル複合機２は、便宜上、送信側と受信側に分けられて、それらの機能が限定されていたが、それぞれのデジタル複合機がデジタル複合機１およびデジタル複合機２の両方の機能を備えてもよい。また、本実施形態では、送信側のデジタル複合機１と受信側のデジタル複合機２が、インターネットやＬＡＮ４２、４３に接続された構成であったが、本実施形態のデジタル複合機１およびデジタル複合機２と同様な機能を有した複数のデジタル複合機、およびデジタル複合機１およびデジタル複合機２の両方の機能を備えた複数のデジタル複合機が、インターネット４１やＬＡＮ４２、４３に接続されていてもよい。
【００７９】
また、本実施形態では、ＬＡＮ４２、４３にパソコン３１、３２が接続されていたが、これらのパソコンに限定される必要はなく、複数のパソコンが接続されていてもよい。
【００８０】
また、本発明の構成は、上記実施形態のほか、発明の主旨を逸脱しない範囲で種々変更を加えることが可能である。
【産業上の利用可能性】
【００８１】
本発明は、親展通信機能を備えたファクシミリ装置に関して有効な技術である。
【図面の簡単な説明】
【００８２】
【図１】は、本発明に係る送信側および受信側のデジタル複合機の一実施形態を示すブロック図である。
【図２】は、デジタル複合機２における親展ボックスに関する登録動作を示すフローチャートである。
【図３】は、デジタル複合機２におけるＦコード親展ボックス方式のファクシミリ通信データを受信した際の動作を示すフローチャートである。
【図４】は、デジタル複合機１における液晶ディスプレイの画面の一例を示す図である。
【図５】は、デジタル複合機１におけるＦコード親展ボックスモードでのファクシミリ送信の動作を示すフローチャートである。
【符号の説明】
【００８３】
１    デジタル複合機
２    デジタル複合機
１０、２０    中央演算処理装置（ＣＰＵ）
１１    原稿搬送部
１２    原稿取込部
１３、２２    操作表示部
１３１    液晶ディスプレイ
１３２    ステータス表示部
１３３    メイン表示部
１３４    ＩＰ電話番号
１３５    親展ボックス番号
１３６    時間情報
１３７    記号
１４、２１    インタフェイス部
１５、２６    メモリ部
１５１、２６１    ＲＯＭ
１５２、２６２    ＲＡＭ
１５３    送信履歴記憶部
２６３    アドレス情報記憶部
２６４    受信履歴記憶部
２６５    親展ボックス記憶部
２３    画像形成部
２４    定着部
２５    給紙部
３１、３２    パソコン（ＰＣ）
４１    インターネット
４２、４３    ＬＡＮ[Local Area Network]
【図１】
2006287280.tif 000003
【図２】
2006287280.tif 000004
【図３】
2006287280.tif 000005
【図４】
2006287280.tif 000006
【図５】
2006287280.tif 000007